(57)【特許請求の範囲】
【請求項１】
跳ね上げ式のつっかえ棒を備えたドアストッパにおいて、
ドアに固定する固定手段を備えた本体と、前記つっかえ棒を支承する支承部材とを有し、
前記支承部材の一箇所が、本体に対してねじ又はピンで固定されており、
支承部材と本体のいずれか一方にフックが設けてあり、他方に当該フックと係合する係合部が設けてあり、前記フックが係合部に係合しており、
前記係合部は、前記フックと係合する孔又はくぼみであり、
前記係合部は、本体側にあって開口を有し、
支承部材は、本体に当接する当接部を有し、
前記フックは支承部材側にあり、前記当接部から本体側に向かって折り曲げられた突出部と、当該突出部の先端側に設けられた回り込み部を有し、
支承部材が本体に固定された状態においては、前記フックの突出部が係合部の開口にあって幅方向の両端が開口と接し、前記フックの回り込み部は、係合部の開口の内側に回り込んでいることを特徴とするドアストッパ。
【請求項２】
前記開口の最大寸法は、前記フックの突出部と回り込み部の最大幅よりも大きく、フックが係合部に係合した状態で、支承部材は本体に対して回動可能であることを特徴とする請求項１に記載のドアストッパ。
【請求項３】
前記固定手段は、吸盤であることを特徴とする請求項１又は請求項２に記載のドアストッパ。
【発明の詳細な説明】
【技術分野】
【０００１】
本発明は、ドアに吸着する吸盤と、跳ね上げ式のつっかえ棒とを備えたドアストッパに関するものである。
【背景技術】
【０００２】
特許文献１に開示されているように、跳ね上げ式のつっかえ棒を備えた従来のドアストッパは、ドアに固定する固定部（吸盤や磁石）と、ストッパ（つっかえ棒）と、支承部であるストップホルダを有している。ストップホルダは、固定部に固定されており、ストッパは、ストップホルダに支承されている。
そしてストッパは、支承部を中心に回動し、ドアの開閉移動を行う際の退避位置と、ドアの開閉移動を阻止する支持位置の間を移動することができる。すなわち、ストッパは、支持位置から跳ね上げて退避位置へ移動させることができる。
【先行技術文献】
【特許文献】
【０００３】
【特許文献１】特開平９−１７７４１１号公報
【発明の概要】
【発明が解決しようとする課題】
【０００４】
ところで、ドアストッパは、所望の開度に開いたドアが閉じないように停止させる場合に使用される。ドアを開き、ストッパを支持位置に移動させると、ストッパは、ドア側に固定されたストップホルダから床面に向かって出っ張る。そのため、通行者の足や、荷物等の通行物がストッパに当たり易い。仮に通行者の足や通行物がストッパに強く当たると、ストッパには跳ね上げ方向と直交する方向の外力が作用し、ストッパはストップホルダに衝撃を与える。
そのため、固定部とストップホルダの固定が不十分であると、固定部に対してストップホルダが外れたり、固定部に対してストップホルダが回動してしまい、ストッパが床面から外れてしまう。その結果、ドアが動いてしまう。
ここで仮に、固定部とストップホルダとを２箇所以上でねじ止めすると、このような事態を防止することができるが、加工コスト高となる。
そこで本発明は、跳ね上げ方向と直交する方向の外力がつっかえ棒に力が作用しても、つっかえ棒を支承する支承部と、ドアに固定する本体とを強固に固定することを、容易な構造で実現することができるドアストッパを提供することを目的とする。
【課題を解決するための手段】
【０００５】
上記課題を解決するための請求項１に記載の発明は、跳ね上げ式のつっかえ棒を備えたドアストッパにおいて、ドアに固定する固定手段を備えた本体と、前記つっかえ棒を支承する支承部材とを有し、前記支承部材の一箇所が、本体に対してねじ又はピンで固定されており、支承部材と本体のいずれか一方にフックが設けてあり、他方に当該フックと係合する係合部が設けてあり、前記フックが係合部に係合しており、前記係合部は、前記フックと係合する孔又はくぼみであり、前記係合部は、本体側にあって開口を有し、支承部材は、本体に当接する当接部を有し、前記フックは支承部材側にあり、前記当接部から本体側に向かって折り曲げられた突出部と、当該突出部の先端側に設けられた回り込み部を有し、支承部材が本体に固定された状態においては、前記フックの突出部が係合部の開口にあって幅方向の両端が開口と接し、前記フックの回り込み部は、係合部の開口の内側に回り込んでいることを特徴とするドアストッパである。
【０００６】
請求項１に記載の発明では、支承部材の一箇所が、本体に対してねじ又はピンで固定されているので、支承部材と本体の固定は強固であり、両者は外れにくい。
また、支承部材と本体のいずれか一方にフックが設けてあり、他方に当該フックと係合する係合部が設けてあり、前記フックが係合部に係合しているので、支承部材と本体は、ねじ又はピンを中心に相対回動しない。
よって、支承部材と本体は、２箇所が固定されているので、本体に対して支承部材が浮き上がったり、相対回転することが防止される。そのため、支承部材に支承されたつっかえ棒は、跳ね上げ方向と直交する方向の外力を受けてもドアを支持し続けることができる。
【０００７】
また、本発明では、前記係合部が、前記フックと係合する孔又はくぼみであるので、係合部の加工が容易である。
【０００８】
さらに本発明では、支承部材が本体に固定された状態においては、フックの突出部が係合部の開口にあって幅方向の両端が開口と接しているので、開口に係合したフックは、開口に対して幅方向に移動することができない。そのため、支承部材と本体は、幅方向に移動しない。
また、フックの回り込み部は、係合部の開口の内側に回り込んでいるので、フックは開口から容易に外れない。すなわち、フックを開口に対して真っ直ぐに離間させようとしても、開口の内側にフックの回り込み部が引っ掛かり、フックは開口から外れない。そのため、支承部材と本体は、相対回動不能であると共に、容易に外れない。
【０００９】
請求項２に記載の発明は、前記開口の最大寸法は、前記フックの突出部と回り込み部の最大幅よりも大きく、フックが係合部に係合した状態で、支承部材は本体に対して回動可能であることを特徴とする請求項１に記載のドアストッパである。
【００１０】
請求項２に記載の発明では、開口の最大寸法が、フックの突出部と回り込み部の最大幅よりも大きいので、フックの突出部と回り込み部は、開口内に容易に挿入することができる。また、フックが係合部に係合した状態で、支承部材は本体に対して回動可能であるので、開口に対してフックが回動し、フックの突出部の幅方向の両端が係合部の開口と接する。よって、フックと係合部とが幅方向に相対移動不能になる。その結果、支承部材と本体は、フックの幅方向にぐらつくことなく固定される。
【００１１】
請求項３に記載の発明は、前記固定手段は、吸盤であることを特徴とする請求項１又は請求項２に記載のドアストッパである。
【００１２】
請求項３に記載の発明では、前記固定手段が吸盤であるので、ドアに対してドアストッパを容易に装着することができる。また、磁性素材以外の素材で構成されたドアに対しても、ドアストッパを容易に装着することができる。
【発明の効果】
【００１３】
本発明のドアストッパは、ドアに固定する固定手段を備えた本体と、つっかえ棒を支承する支承部材とが、１箇所でねじ又はピンによって固定されており、さらにフックと係合部とを係合させるので、本体と支承部材とが離間不能且つ相対回動不能に固定される。よって、床に下ろされたつっかえ棒が、本体に対して跳ね上げ方向と直交する方向に移動せず、確実にドアを支持し続けることができる。
【図面の簡単な説明】
【００１４】
【図１】（ａ）は、本発明の実施形態に係るドアストッパの主要部の斜視図であり、（ｂ）は、（ａ）に示すドアストッパの主要部の分解斜視図である。
【図２】ドアストッパが、開いたドアを支持している状態を示す斜視図である。
【図３】つっかえ棒を外した状態のドアストッパの斜視図である。
【図４】図３のドアストッパの分解斜視図である。
【図５】支承部材の斜視図である。
【図６】支承部材の右側面図である。
【図７】支承部材を本体に装着する直前の状態を示す斜視図である。
【図８】（ａ）は、図７のＡ−Ａ断面図であり、（ｂ）は、（ａ）の状態から本体の孔内に、支承部材のフックを挿入した状態を示す断面図であり、（ｃ）は、（ｂ）の状態から本体に対して支承部材を９０度回転させた状態の断面図であり、（ｄ）は、（ｃ）の状態から本体に対して支承部材をスライドさせ、本体のねじ孔と支承部材の貫通孔とを一致させた状態を示す断面図であり、（ｅ）は、（ｄ）の状態において、本体と支承部材とをねじで固定した状態を示す断面図である。
【図９】本体部と吸盤部材の関係を示す断面図であり、（ａ）は、吸着が解除されている状態を示し、（ｂ）は、吸着が解除されている状態と、吸着状態の中間の状態を示し、（ｃ）は、吸着状態を示す。
【図１０】（ａ）は、ドアに好ましい形態のドアストッパを装着した状態を示す側面図であり、（ｂ）は、ドアに通常の形態のドアストッパを装着した状態を示す側面図である。
【発明を実施するための形態】
【００１５】
図１に示す様に、ドアストッパ１は、本体２、支承部材３、吸盤部材４（固定手段）、つっかえ棒５を有する。図２に示す様に、ドアストッパ１は、ヒンジ式のドア６の下部に取り付けられ、つっかえ棒５の先端を床面７に着地させて、開いたドア６の開度を保持し、閉動作を停止させる機能を有するものである。
【００１６】
図３、図４に示す様に、本体２には、支承部材３、吸盤部材４、２つの化粧部材８が各々装着されている。以下、順に説明する。
【００１７】
本体２は、樹脂成形部材であり、平面視すると円形の土台９の中央に、土台９の直径方向にのびる略直方体形状の隆起部１０が形成されている。すなわち、隆起部１０は、土台９の中心を通り、土台９の２箇所の外周端に至って形成されている。また、土台９の外周部分には、環状の支持壁５１が設けられている。後述する図８（ａ）に示す様に、支持壁５１はフランジ部５１ａを有している。フランジ部５１ａは、土台９の半径方向内側に張り出した内向きフランジである。隆起部１０を含む土台９と支持壁５１によって、本体２には空間１１（図８（ａ））が形成されている。
【００１８】
隆起部１０は、表面部１７、側部１５、１６、端部１８、１９を有する。側部１５、１６は、表面部１７の長手方向に沿う部位である。端部１８、１９は、表面部１７と側部１５、１６の、長手方向の両端に位置する部位である。側部１５、１６と端部１８、１９は、表面部１７と土台９とを接続している。
【００１９】
円形の土台９の中心であり、且つ、隆起部１０の表面部１７の中央には、長孔である貫通孔１２が設けられている。また、表面部１７には、貫通孔１２に近い方から順に、係合孔１３、ねじ孔１４が設けられている。係合孔１３、ねじ孔１４は、表面部１７における貫通孔１２の端部１９側に設けられている。
【００２０】
係合孔１３の開口は長方形形状であり、矢印Ａ１で示す隆起部１０の長手方向にのびる一方の辺１３ａの方が、矢印Ａ２で示す方向にのびる他方の辺１３ｂよりも長い。後述する図８（ａ）に示す様に、ねじ孔１４は、受け座を有する孔に、金属製の雌ねじ部材１４ａが着座し、接着固定されて構成されている。貫通孔１２、係合孔１３、ねじ孔１４は、いずれも本体２の裏面側の空間１１と連通している。
【００２１】
図４に示す様に、隆起部１０の側部１５の両端付近には、係合孔１５ａ、１５ｂが設けられている。同様に、他方の側部１６の両端付近には、係合孔１６ａ、１６ｂが設けられている。
【００２２】
土台９の外周付近には、係合孔２０、２１が設けられている。係合孔２０、２１を結ぶ直線は、土台９の中心（貫通孔１２）を通っており、隆起部１０と直交している。
【００２３】
次に、支承部材３について説明する。
支承部材３は、板状の金属成形部材から構成されており、略コの字形を呈している。すなわち、支承部材３は、１枚の金属板を２箇所で同方向に折り曲げて形成されている。
【００２４】
図４〜図６に示す様に、支承部材３は、平行に配置された一対の対向壁部２２、２３と、対向壁部２２、２３を接続する接続部２４とを有している。対向壁部２２、２３は、同じ形状であり、図６に示す様に、支承部材３を側面視すると互いの輪郭が重なって見える。対向壁部２２の周囲には縁２２ａが設けられている。縁２２ａは、つっかえ棒５の回動を規制することができるような形状を有している。すなわち、縁２２ａには、順に、くぼみ部２２ｃ、突出部２２ｂ、傾斜部２２ｄが設けられている。縁２２ａのこれらの各部については後述する。さらに、対向壁部２２、２３には、各々孔２５、２６が設けられている。孔２５、２６は、同芯である。
【００２５】
図５に示す様に、接続部２４は四角形の板形状であり、一辺２４ａを有している。一辺２４ａは、接続部２４における対向壁部２２、２３と連続していない二辺のうちの一方の辺であり、対向壁部２２、２３の縁２２ａ、２３ａと連続している。また、一辺２４ａは、接続部２４における、縁２２ａ、２３ａの傾斜部２２ｄ、２３ｄに近い側に設けられた辺である。この一辺２４ａには、対向壁部２２、２３と平行な切り込み２７ａ、２７ｂが設けられて、舌部２８が形成されている。舌部２８は、接続部２４の一辺２４ａの中央に設けられている。舌部２８の根元部２８ａは接続部２４と連続している。
【００２６】
舌部２８は、屈曲して接続部２４と交差（例えば直交）する突出部２９を構成している。さらに突出部２９の先端側が屈曲して、突出部２９の先端側には回り込み部３０が設けられている。回り込み部３０は、接続部２４と平行であり、一辺２４ａと同方向に張り出している。突出部２９と回り込み部３０とでフック３１が構成されている。すなわち、舌部２８が変形してフック３１が構成されている。図６に示す様に、回り込み部３０は、接続部２４から距離Ｌだけ離間している。また、接続部２４には、孔４２が設けられている。孔４２は、対向壁部２２、２３から等距離の位置に設けられている。さらに、図６に示す様に、孔４２は、舌部２８の根元部２８ａから距離Ｌ１だけ離間している。
【００２７】
図４に示す様に、吸盤部材４は、吸着部材３２、支柱部材３３、コイルばね３４、操作部材３５、ピン３６を有している。
【００２８】
吸着部材３２は、円形の薄肉状の弾性変形可能な樹脂成形部材である。吸着部材３２の外周の１箇所には突出部３２ａが設けられている。吸着部材３２は、粘着性を有していてもよい。
【００２９】
吸着部材３２の内面３２ｂ（図４で見て上面）の中心部分には、支柱部材３３の一端が固着されている。支柱部材３３の横断面は楕円形状である。支柱部材３３の他端付近には、楕円の幅の狭い方向に貫通する孔３３ａが設けられている。また、支柱部材３３には、コイルばね３４が装着されている。
【００３０】
操作部材３５は、湾曲部３７と、一対の支持部３８、３９とを有している。湾曲部３７は、所定幅の板状の部材が、幅方向と直交する長手方向に所定の曲率で湾曲している。湾曲部３７の湾曲方向の一端３７ａには、凹部５０が設けられている。また、湾曲部３７の他端側には支持部３８、３９が連続している。一対の支持部３８、３９は、同一形状であり、湾曲部３７と湾曲部３７の湾曲の内側方向に湾曲部３７と略直交してのびる板状の部位である。
【００３１】
支持部３８、３９の先端は、滑らかに凸状に湾曲しており、先端部４４ａを有している。支持部３８、３９は、所定の間隔を置いて対向している。すなわち、湾曲部３７、支持部３８、３９で凹部４０が形成されている。また、支持部３８、３９には、各々孔４１が同芯となるように設けられている。
本体２と吸盤部材４の関係は後述する。
【００３２】
図４に示す様に、化粧部材８は、ドアストッパ１の主要部を半球状に見せかける意匠部材である。化粧部材８は、球状に湾曲した板状の球面部４５と、平板部４６とを有している。球面部４５は、２つの縁４７ａ、４７ｂを有している。縁４７ａの両端は、縁４７ｂの両端と一致している。縁４７ｂの中央には、係合突起４９が設けられている。平板部４６は、円弧部４６ａと弦部４６ｂとを有する弓形状を呈している。平板部４６の弦部４６ｂには、２つの係合突起４８が離間して設けられている。化粧部材８は、平板部４６の円弧部４６ａと、球面部４５の一方の縁４７ａとが接続されて構成されている。化粧部材８の内部には、球面部４５と平板部４６で空間５９が形成されている。よって、化粧部材８の重量は軽い。
【００３３】
図１に示すつっかえ棒５は、略くの字形に屈曲した剛性を有する円筒部材５３、ゴム製の滑り止め部材５４、付勢部材５５とを有している。円筒部材５３の一端には、滑り止め部材５４が装着されており、他端側には貫通孔５６と貫通長孔５７が設けられている。貫通孔５６は、貫通長孔５７よりも他端側に設けられている。貫通長孔５７は、円筒部材５３の長手方向に沿ってのびている。
【００３４】
貫通孔５６には、ピン５２が挿通され、貫通長孔５７には、ピン５８が挿通されている。ピン５２とピン５８は、円筒部材５３の内部において、伸張したばね（図示せず）で接続されている。そのため、ピン５８は、図示しない伸張したばねに付勢されて、貫通長孔５７における貫通孔５６側の端部に位置している。
【００３５】
ピン５２は、前述の支承部材３の対向壁部２２、２３に設けられた孔２５、２６と、つっかえ棒５の貫通孔５６に挿通されている。そのため、つっかえ棒５は、ピン５２を中心に支承部材３に対して回転可能である。そして、ピン５２と、図示しないばねで付勢されているピン５８によって、付勢部材５５が構成されている。
【００３６】
本体２に対する支承部材３の装着手順を説明する。
図７、図８（ａ）に示す様に、本体２の隆起部１０の長手方向に対して、支承部材３の対向壁部２２、２３を直交させる。そして、支承部材３のフック３１を本体２の係合孔１３内に挿入する。その際、係合孔１３の一方の辺１３ａの長さ（図４、図８（ａ）において矢印Ａ１で示す方向の長さ）は、フック３１の幅よりも大きいため、図８（ｂ）に示す様に、フック３１は容易に係合孔１３内に入り込むことができる。
【００３７】
次に、図８（ｂ）の状態から支承部材３と本体２とを９０度相対回転させ、図８（ｃ）に示す状態にする。このとき、本体２に対する支承部材３の向きは、図４に示す支承部材３の向きと一致している。また、本体２の係合孔１３の他方の辺１３ｂの長さ（図４において、矢印Ａ２で示す方向の長さ）と、支承部材３のフック３１の幅は、略一致している。そのため、本体２と支承部材３は、図４において矢印Ａ２で示す方向への相対移動が防止される。
【００３８】
図８（ｃ）に示す状態では、本体２のねじ孔１４と、支承部材３の孔４２とが一致していない。そこで本体２と支承部材３とを相対移動させると、図８（ｄ）に示す様に、ねじ孔１４と孔４２とが一致する。このとき、フック３１の回り込み部３０が、本体２の裏面側に係合している。また、図６に示す支承部材３の接続部２４と回り込み部３０の距離Ｌ（図６）は、図８（ｄ）に示す本体２の厚みｔと略一致している。
【００３９】
さらに、図８（ｅ）に示す様に、ねじ４３を支承部材３の孔４２に挿通し、さらに本体２（隆起部１０）のねじ孔１４に螺合する。よって、本体２と支承部材３は、係合孔１３とフック３１の係合と、ねじ４３によって２箇所で固定されている。そのため、本体２と支承部材３は、相対回転と離間とが不能に一体固着されている。
【００４０】
続いて、各部材の位置関係について説明する。本実施の形態のドアストッパ１は、吸盤部材４が本体２に取り付けられ、その本体２に支承部材３を介してつっかえ棒５が取り付けられている。
まず、図４及び図９（ａ）〜図９（ｃ）を参照しながら、本体２と吸盤部材４（固定手段）の関係を説明する。
【００４１】
本体２の表面１０ａ側（上側）には吸盤部材４の操作部材３５が配置され、本体２の裏面１０ｂ側（下側）には吸着部材３２が配置され、支柱部材３３が裏面側から、隆起部１０の貫通孔１２を貫通している。貫通孔１２は長孔であり、支柱部材３３は、貫通孔１２にちょうど挿通される形状及び大きさを有している。そのため、支柱部材３３は、貫通孔１２内で回転不能である。
【００４２】
コイルばね３４の一方の端部は、吸着部材３２の内面３２ｂに当接し、コイルばね３４の他方の端部は、本体２の隆起部１０の裏面１０ｂに当接している。図３に示す様に、操作部材３５の支持部３８、３９の間の凹部４０に支柱部材３３が配置され、図４に示す支持部３８、３９の各孔４１と、支柱部材３３の孔３３ａを、共通のピン３６が貫通し、操作部材３５と支柱部材３３が相対回動可能に接続されている。
【００４３】
本体２と支承部材３は、前述のようにして固定されている。
【００４４】
次に、支承部材３とつっかえ棒５の関係を説明する。
図１（ｂ）に示す様に、支承部材３の２つの対向壁部２２、２３の間に、つっかえ棒５が配置されており、対向壁部２２、２３の孔２５、２６と、つっかえ棒５の貫通孔５６とが位置合わせされている。そして、これらの各孔には、共通のピン５２が挿通されている。ピン５２は頭部を有しており、頭部と反対側には周知の抜け止めが施されている。
【００４５】
貫通長孔５７に設けられたピン５８は、円筒部材５３内の図示しないばねによって、ピン５２側へ付勢されており、対向壁部２２、２３の縁２２ａ、２３ａに当接し得る。
【００４６】
続いて、ドア６に対するドアストッパ１の着脱方法について説明する。
図９（ａ）は、ドアストッパ１の吸盤部材４が、取り付け対象のドアに取り付けられる前の状態、又は、吸盤部材４をドアから取り外したロック解除状態を示している。
図９（ａ）に示す状態では、操作部材３５の突出部４４は、本体２の隆起部１０の表面１０ａに当接しており、操作部材３５の湾曲部３７の一端３７ａが、本体２の隆起部１０の表面１０ａから相当に離れている。
【００４７】
図９（ｃ）は、ドアストッパ１の吸盤部材４が、ドアに取り付けられているときのロック状態を示している。
操作部材３５が、ピン３６を中心に、図９（ａ）に示す状態から図９（ｃ）に示す状態へ回転移動する際に、途中で図９（ｂ）に示す状態となる。図９（ｂ）に示す状態の操作部材３５は、突出部４４の最も突出する先端部４４ａが、本体２の表面１０ａに当接し、先端部４４ａが表面１０ａを押圧している。よって、このとき、コイルばね３４の圧縮量（付勢力）が最大となり、本体２の裏面１０ｂと、吸着部材３２とを押圧する力が最大となる。
【００４８】
そして、操作部材３５が、図９（ｂ）に示す状態から図９（ｃ）に示す状態まで回動すると、突出部４４の最も突出する先端部４４ａが表面１０ａから離れ、操作部材３５の湾曲部３７の一端３７ａが、表面１０ａに当接又は最近接する。そのため、図３に示す様に、操作部材３５の湾曲部３７が、化粧部材８ａ、８ｂと同一の球面上に配置される。
【００４９】
コイルばね３４の圧縮量（付勢力）は、図９（ｂ）に示す状態で最大となる。そのため、図９（ｃ）に示す状態から図９（ａ）に示す状態に戻す（すなわち、ロック状態からロック解除状態にする）には、図９（ｂ）に示す状態における、最大になるコイルばね３４の付勢力に抗する力を操作部材３５に作用させなければならない。よって、操作部材３５のロックは、不用意には解除されず、安全である。
【００５０】
ドア６からドアストッパ１を取り外す際には、操作部材３５のロックを解除する。操作部材３５の一端３７ａには、凹部５０が設けてあるので、使用者は指を凹部５０に引っかけてロック解除操作がし易い。そして、吸盤部材４の吸着部材３２の突出部３２ａを持ち、吸着部材３２をドア６から引きはがすと、ドアストッパ１はドア６から容易に外れる。
【００５１】
次にドアストッパ１の機能について説明する。
つっかえ棒５がピン５２を中心に退避位置側へ回動すると、ピン５８は、傾斜部２２ｄ、２３ｄから縁２２ａ、２３ａに沿って移動し、突出部２２ｂ、２３ｂを越えてくぼみ部２２ｃ、２３ｃに達する。ピン５８が突出部２２ｂ、２３ｂを越える際には、ピン５８は、突出部２２ｂ、２３ｂに押圧されて、貫通長孔５７に沿って貫通孔５６とは反対側の端部５７ａ側へ移動する。ピン５８に作用する図示しないばねの付勢力は、このときに最大となる。
【００５２】
さらに、つっかえ棒５が同方向に回動し、ピン５８がくぼみ部２２ｃ、２３ｃに達すると、ピン５８は、貫通長孔５７内を貫通孔５６側へ移動する。このとき、ピン５８に作用する図示しないばねの付勢力は減少する。
【００５３】
そして、つっかえ棒５がピン５２を中心に退避位置側から支持位置側へ回動すると、ピン５８が縁２２ａ、２３ａに沿って、くぼみ部２２ｃ、２３ｃから突出部２２ｂ、２３ｂを越えて傾斜部２２ｄ、２３ｄに達し、つっかえ棒５は支持位置にくる。
つっかえ棒５が支持位置にきたとき、ピン５８は、支承部材３の対向壁部２２、２３の傾斜部２２ｄ、２３ｄに押圧されると共に、円筒部材５３の貫通長孔５７における貫通孔５６側の端部に位置している。すなわち、ピン５８は、それ以上貫通長孔５７に沿って貫通孔５６側へ移動することができない。そのため、つっかえ棒５のそれ以上の回動が阻止される。
【００５４】
ドア６に装着されたドアストッパ１は、次の様に使用される。
図２に示す様に、ドアストッパ１のつっかえ棒５を矢印Ｂ２で示す方向に回動させ、退避位置から支持位置へ移動させる。すると、ドアストッパ１は、閉じようとするドア６を、開いた状態で支持する。
【００５５】
ドア６が回動しているときに、つっかえ棒５が床面７に着地すると、つっかえ棒５にはドア６の回動方向と逆方向に負荷が掛かる。例えば、ドア６が閉じている最中に、つっかえ棒５が着地すると、つっかえ棒５には床面７から突き上げるような力が作用し、この力はピン５２、５８を介して支承部材３に伝達される。
【００５６】
ところが、ドア６に固定されたドアストッパ１では、支承部材３と本体２とを固定するねじ４３が上側にあり、ねじ４３の下側にフック３１と係合孔１３（図４）によるフック構造があり、支承部材３と本体２は、上下２箇所で固定されている。そのため、つっかえ棒５から伝達された突き上げ力によって、支承部材３は、本体２から浮き上がったり、離間することがない。
【００５７】
つっかえ棒５が支持位置にあるとき、つっかえ棒５は床面７方向にのび、且つ、通路上に張り出した状態になる。そのため、通行人の足や荷物等の通行物が衝突し易く、その際につっかえ棒５には、矢印Ｂ１で示す方向の外力が作用する。また、支持位置にあるつっかえ棒５を退避位置へ移動させる場合には、操作する人は、足の甲の部分でつっかえ棒５を蹴り上げて操作することが多い。その際、足から受ける力の方向が真上を向くことは稀であり、足からつっかえ棒５に作用する力は、矢印Ｂ１で示す方向の成分を有していることが多い。
【００５８】
ところで、ドアストッパ１では、図２において矢印Ｂ１で示す方向が、図４において矢印Ａ２で示す方向と一致している。すなわち、矢印Ｂ１で示す方向は、本体２に設けられた係合孔１３の他方の辺１３ｂの長さ方向と、支承部材３の突出部２９及び回り込み部３０の幅方向と一致している。そのため、つっかえ棒５に、矢印Ｂ１方向の外力が作用しても、つっかえ棒５を支承している支承部材３と、ドア６に固定されている本体２とがずれる（相対移動する）ことがない。よって、矢印Ｂ１方向の外力が作用した場合であっても、つっかえ棒５は、矢印Ｂ１で示す方向に移動しない。
【００５９】
また、つっかえ棒５を支持位置から退避位置に回動移動させると、ドア６の閉動作が可能になる。すなわち、つっかえ棒５を、図２に示す矢印Ｂ２方向に回転させ、支持位置から退避位置に移動させると、ドア６は支持を失い、閉じることができるようになる。その際、ピン５８が、突出部２２ｂ、２３ｂを越える際に、ピン５８には図示しないばねによる最大付勢力が作用する。そして、つっかえ棒５が退避位置にくると、ピン５８がくぼみ部２２ｃ、２３ｃに達し、ピン５８に作用する付勢力が減少する。そのため、退避位置のつっかえ棒５が、不用意に矢印Ｂ２方向に支持位置に回動することがなく、安全である。
【００６０】
以上説明したドアストッパ１の構造において、支承部材３と本体２は、以下のように係合させることもできる。例えば、支承部材３側のフック３１は、接続部２４に切り込み２７ａ、２７ｂを設けて形成した舌部２８を折り曲げて構成せず、別部材で構成し接続部２４に一体固着してもよい。この場合の別部材は、断面が円形、四角形、三角形等の様々な形状の棒状部材を折り曲げて形成することができる。
フック３１を本体２側に設け、係合孔１３を支承部材３の接続部２４に設けても、上述の実施の形態と同様の作用効果を奏することができる。
【００６１】
また、ねじ４３の代わりに、ピンで支承部材３と本体２とを結合してもよい。例えば、リベットで支承部材３と本体２とを結合することができる。
【００６２】
ここでドアストッパ１において、つっかえ棒５の回転中心であるピン５２が、図１０（ｂ）に示す様に、本体２の中心線Ｃよりも上方にあると、ドア６に矢印Ｓで示す外力が作用し、つっかえ棒５に突き上げ力Ｆ１が生じた際に、本体２には矢印Ｍで示す回転モーメントが生じ易い。そのため、本体２は、破線で示す様に、ドア６から外れ易くなる。
【００６３】
そこで、ドアストッパ１は、図１０（ａ）に示す様に、つっかえ棒５の回転中心であるピン５２を、本体２の中心線Ｃよりも下方に配置するのが好ましい。このようにすると、つっかえ棒５に突き上げ力Ｆ１が作用しても、本体２には、回転モーメントが生じにくい。また、その突き上げ力Ｆ１の分力Ｆ２がドア６側を向いており、そのため、ドアストッパ１はドア６から外れにくい。
【符号の説明】
【００６４】
１    ドアストッパ
２    本体
３    支承部材
４    吸盤部材（固定手段）
５    つっかえ棒
１３  係合孔（係合部）
２４  接続部（当接部）
２９  突出部
３０  回り込み部
３１  フック
４３  ねじ（ねじ又はピン）
【図１】
0005593348.tif 000002
【図２】
0005593348.tif 000003
【図３】
0005593348.tif 000004
【図４】
0005593348.tif 000005
【図５】
0005593348.tif 000006
【図６】
0005593348.tif 000007
【図７】
0005593348.tif 000008
【図８】
0005593348.tif 000009
【図９】
0005593348.tif 000010
【図１０】
0005593348.tif 000011